(57)【要約】【課題】使用する際にかさばることを防止することにより歯科医による治療作業の障壁になることを防止する。【解決手段】歯治療飛散物質吸引装置の吸込口を自由に移動可能な自在アーム６０と、自在アーム６０の一端側を構成する自在アーム取付パイプ２下端が着脱自在に嵌合可能な吸引パイプ７３が略鉛直上方に向けて立設されている基台７０とを備え、自在アーム取付パイプ６０は、嵌合時に略鉛直上方に配向させたときにおける上端の高さは、１０００ｍｍ以下となるようにその長さが調整されている。【選択図】図１
2008289650.tif 000002
【特許請求の範囲】
【請求項１】
歯治療飛散物質吸引装置の吸込口を自由に移動可能な自在アームと、前記自在アームの一端側を構成する自在アーム取付パイプ下端が着脱自在に嵌合可能な吸引パイプが略鉛直上方に向けて立設されている基台とを備え、
前記自在アーム取付パイプの可動部分が８００ｍｍ以下になるように調整されていること
を特徴とする歯治療飛散物質吸引装置用自在パイプアーム装置。
【請求項２】
前記自在アーム取付パイプの下端には、嵌合すべき前記吸引パイプを係止するための拡径リングからなるストパー体が設けられていること
を特徴とする請求項１記載の歯治療飛散物質吸引装置用自在パイプアーム装置。
【請求項３】
前記自在アームは、パイプ同士がエルボー形態の１対のパイプ部を介して継合され、前記１対のパイプ部は夫々、一方の端部が前記パイプに脱着自在に装着されると共に、他方の端部が回転ジョイント部により相互に連結されており、前記回動ジョイント部は、前記１対のパイプ部のうち一のパイプ部の他方の端部に設けられ、端面に断面球面よりも浅い半球状の凹部が同一円周上に間隔を空けて複数個形成されているフランジを有する第１のアダプターと、他のパイプ部の他方の端部に設けられ、端面に断面球面よりも深い半球状の凹部が、前記第１のアダプターに形成された凹部と同一径の円周上に、前記第１のアダプターの凹部よりも少ない数だけ形成されているフランジを有する第２のアダプターと、前記第２のアダプターの各凹部に抜け止めされて設置され、前記第１のアダプターの各凹部に対して嵌合状態又は非嵌合状態となっている球状体と、前記一のパイプ部の他方の端部と前記他のパイプ部の他方の端部とを結合するカップリングナットとにより構成されており、前記パイプ部に回転力が付与されると、前記回転ジョイント部において前記各球状体と前記第１のアダプターの各凹部との嵌合状態及び非嵌合状態が交互に移行すること
を特徴とする請求項１又は２に記載の歯治療飛散物質吸引装置用自在パイプアーム装置。
【発明の詳細な説明】
【技術分野】
【０００１】
本発明は、主に歯治療中の飛散物質を吸引する吸引装置の吸込口を自在に移動する際に好適な歯治療飛散物質吸引装置用自在パイプアーム装置に関する。
【背景技術】
【０００２】
従来、特許文献１（歯科診療室の汚染防止装置）、特許文献２（歯科用口腔外バキューム装置）、特許文献３（歯科用吸引装置のためのフリーアーム装置）、特許文献４に、歯科用吸引装置の自在パイプアーム装置の技術が開示されており、その技術内容は以下のようなものである。
【０００３】
（１）特許文献１（歯科診療室の汚染防止装置）
夫々にパイプを接続するパイプ接続口を有する二個の回動筒を向かい合わせて、両回動筒に貫通させた締め付けボルトにより締付けて、二個の回動筒を回動自在に突合せてなる回動部を３箇所に用いてなるものであり、夫々のパイプ接続口に接続したパイプを回動部の回動機能により上下方向に回動自在に操ることができるようにすることにより、吸気口を患者の口腔前に自在に配置できるようにするとともに、締付けボルトの締付け具合により回動部の回動摩擦を調節できるようにしたものである。パイプ接続口へのパイプの接続構造については記載が無く、図で見る限りでは溶接や接着などにより一体化接続した構成と考えられる。また、パイプは３本の短パイプを「一方のパイプの先端部の外径を他方のパイプの内径より細くし次第に外径が太くなるようにして、一方のパイプを他方のパイプに挿入する方法、両パイプの両端にフランジを設け、このフランジ同士をボルトやバネタイプのフランジ締付具等で締付ける方法、パイプの外径の端部にネジを設け、両パイプの外側にこのネジと螺合するメネジを有する連結手段など公知の連結手段により連結している。
【０００４】
（２）特許文献２（歯科用口腔外バキューム装置）
３本のパイプからなり、パイプとパイプは間接部分となる蛇腹管からなるフレキシブル部で連結されているとともに、この間接部分の下部にパイプとパイプに先端を固定させて突っ張り棒のように、おそらくはコンピューター制御された、おそらくは油圧式であるピストンシリンダーを設けて、「吸気口１１を治療用椅子１の移動に連動させ、・・・・・所望の位置へ移動可能」としたものである。
【０００５】
（３）特許文献３（歯科用吸引装置のためのフリーアーム装置）
左右に対であるアーム部材を４本連結し、この連結部分をアーム部材を回動可能とし且つ摩擦抵抗が回動方向により大きくなるクラッチ機構を４箇所設け、アーム部材の間に蛇腹形態の可撓ホースを挟みセットしたものである。
【０００６】
（４）特許文献４（診療室の汚染浄化装置）
長手の２本のパイプの先端にエルボーを設け、このエルボーにプレートからなる支持部を固定設け、引張りバネの端を支持部にもう一方の端をパイプに取付けて、エルボー同士の回動可能としているがその接続構造は記載がない。
【特許文献１】特開平７−８８１１９号公報
【特許文献２】特開平８−１４１００５号公報
【特許文献３】特開平８−２３８２６１号公報
【特許文献４】特開２００１−２９９７８５号公報
【発明の開示】
【発明が解決しようとする課題】
【０００７】
ところで、歯科医療用口腔外バキュームシステムは、歯科治療時に発生する、微細な血液、体液の粉泡、金属、歯片の粒子を診療現場から吸引処理し、診療環境を保全する為に用いられるものであり、その使用部位は、患者の口腔の外側周辺及び歯科医の手元とされていた。
【０００８】
当該システムの口腔外バキュームアームユニット（以下アームユニットという）において、その設置個所は、従来主として、目的の使用場所である、ユニットチェアに座した患者の、口腔付近に対し、ユニットチェア据付けのスピットン（うがい用盥）を挟むように、ユニットチェアの外側に、固定して設置されている。その結果アームユニットの可動アーム部の全長は、１、３００ｍｍ〜１、６００ｍｍの長さが要求されていた。
【０００９】
しかしながら、これら従来技術では、何れも治療椅子に仰向けになって寝ている患者に対して、アーム先端に取り付けられた吸引フードを上側から接近させる構成としている。
【００１０】
図１０は、特許文献２に示す歯科用口腔外バキューム装置の構成例を示している。排気ダクト１１４、パイプアーム１１３、関節具１２２が、床面１０１から直交する方向へ略一直線状に立設されている。この排気ダクト１１４、パイプアーム１１３、関節具１２２まで至る構成を床面１０１から柱状に立設させることにより、吸引フード１２１を、治療椅子１０２に仰向けになって寝ている患者に対して上側から接近させることができる。このとき、床面１０２からパイプアーム１１３、ひいては関節具１２２に至るまでの高さは、通常１３００〜１６００ｍｍ以上で構成されるのが一般的である。
【００１１】
しかしながら、実際にこの従来技術における歯科用口腔外バキューム装置は、患者の頭とは離れた箇所において備え付けられている場合には、パイプアーム１１３〜１１５を長く構成しなければならない。このため、実際にこの歯科用口腔外バキューム装置を使用する際には、長いパイプアーム１１３〜１１５がかさばり、歯科医による治療作業の障壁になるという問題点があった。
【００１２】
また、この歯科用口腔外バキューム装置を固定型ではなく、移動可能とするために排気ダクトの下端に車輪等の移動手段を設けた場合において、これを手で移動させる場合においても、長いパイプアーム１１３〜１１５がかさばり、パイプアームを長くしている分において重量が増加することから、これらを改善することにより移動性能をも向上させる必要があった。特に、この歯科用口腔外バキューム装置は、常時使用するものではないことから、使用しない場合には、治療椅子から離れた箇所に移動させて保管しておけばよく、かかる移動性能の向上に関する要請は依然として高かった。
【００１３】
例えば義歯専用台等の他のユニットも同様に治療椅子に近づけて作業をしたい場合もあるが、これを歯科用口腔外バキューム装置とは別体として構成すると、治療室内において様々な装置が所狭しと混在することになるという問題点もあった。特に、この歯科用口腔外バキューム装置は、常時使用するものではないため、使用しないときには、代わりに義歯専用台を取り付け可能とする構成とすることにより、機器や装置の省スペース化を図る必要性もあった。
【００１４】
そこで、本発明を適用した歯治療飛散物質吸引装置用自在パイプアーム装置は、上述した問題点に鑑みて案出されたものであり、その目的とするところは、使用する際にかさばることを防止することにより歯科医による治療作業の障壁になることを防止し、また移動手段を設けた場合においても、移動性能の向上を図ることができ、しかも義歯専用台等の他のユニットとの交換容易性を向上させた歯治療飛散物質吸引装置用自在パイプアーム装置を提供することにある。
【課題を解決するための手段】
【００１５】
本発明を適用した歯治療飛散物質吸引装置用自在パイプアーム装置は、上述した課題を解決するために、歯治療飛散物質吸引装置の吸込口を自由に移動可能な自在アームと、前記自在アームの一端側を構成する自在アーム取付パイプ下端が着脱自在に嵌合可能な吸引パイプが略鉛直上方に向けて立設されている基台とを備え、前記自在アーム取付パイプは、嵌合時に略鉛直上方に配向させたときにおける上端の高さは、１０００ｍｍ以下となるようにその長さが調整されていることを特徴とする。
【発明の効果】
【００１６】
上述した構成からなる本発明では、自在パイプアーム装置自体の高さを低く抑えることが可能となる。また、自在アーム取付パイプを始めとして各種パイプアームを短くすることが可能となる。その結果、従来のように長いパイプアームがかさばることが無くなり、歯科医による治療作業の障壁になるのを防止することが可能となる。
【００１７】
また、請求項３に係る本発明の構成により、一方のパイプ部と他方のパイプ部と連結する回動ジョイント部において、一方のパイプ部の接合端面部に回転自在な球状体を前方に突出するように付勢して複数配置し、他方のパイプ部の接合端面部に断面半球状の凹部を形成し、球状体と半球状凹部との嵌合、非嵌合がパイプ部の回動により交互に連続的に行われるようし、パイプ部の回動により球状体が半球状凹部を乗り越える場合には球状体の付勢手段の付勢力に応じた乗越抵抗が働くようしているので、その乗越抵抗によりフリーアームの延び状態でも回動しないように延び状態および吸込口の停止位置を安定的に保持することができ、且つ、パイプアームの延ばし縮め操作は該パイプアームの吸込口である端方を押したり引いたりして操作するので、梃子の作用により小さな力でも乗越え抵抗を強く感じることなく片手で操作できる快適性・容易性を実現するという効果を奏する。また、本発明の構成により、容易に片手で廻せ、接合端面部の押圧力の調整や、パイプの連結、取り外しがカップリングナットと他方の側に設けられた雄ネジ部と螺合することにより行われるので、手動で簡単・容易にパイプ同士を分離して洗浄できるとともに、容易に組立てができるという効果を得ることができる。一方の側のパイプアームにピストンシリンダーや圧縮コイルバネなどの圧縮付勢手段を設けた構成としたので、付勢力によりパイプアームの保持力を大きくすることができるので、球状体が半球状凹部を乗越える抵抗を小さいものにでき、それより手動による操作抵抗をより小さいものにして、より快適性・容易性を実現するとともに、圧縮付勢手段を一方のパイプアーム側に付けたままパイプアーム同士を分離できるので、分解の際にパイプ以外の部品の外しが無く、部品紛失の心配がないとともに分解・組立てが容易であるという効果を得ることができる。手動操作スイッチを吸込口近傍に設けてあるので、操作性が向上する。
【発明を実施するための最良の形態】
【００１８】
以下、本発明の実施の形態を図面を参照しながら説明する。但し実施の形態の説明と図面は本発明の技術的範囲を限定するものではない。
【００１９】
図１乃至図８に示す本発明の実施の形態１において、自在パイプアーム装置１は、自在アーム６０と、自在アーム６０の一端側を構成する自在アーム取付パイプ２下端が着脱自在に嵌合可能な吸引パイプ４３が上方に向けて立設されている基台７０とを備えている。
【００２０】
自在アーム６０は、自在アーム取付パイプ２に装着されるエルボー形態のパイプ部３と、このパイプ部３に回動ジョイント部４で回動可能にジョイントされたエルボー形態のパイプ部５、このパイプ部５を一方の端に固定し且つ他方の端にエルボー形態のパイプ部６に固定してなる長パイプ７とからなるパイプアーム８と、パイプ部６に回動ジョイント部９で回動可能にジョイントされたエルボー形態のパイプ部１０、このパイプ部１０を一方の端に固定し且つ他方の端に握付パイプ１１を設け該１１にエルボー形態のパイプ部１２を回動可能に設けてなる長パイプ１３とからなるパイプアーム部１４と、パイプ部１２に回動ジョイント部１５で回動可能にジョイントされたエルボー形態のパイプ部１６、このパイプ部１６を一方の端に固定し且つ他方の端に吸込口１７を着脱自在に挿しこみ装着してなるパイプ１８とからなるパイプアーム１９とからなっている。
【００２１】
自在アーム取付パイプ２の下端には自在アーム取付パイプ２を嵌合すべき吸引パイプ４３を係止するための拡径リングからなるストパー体７１と先端部７２が設けられている。この先端部７２が吸引パイプ７３内に嵌挿されることになる。
【００２２】
自在アーム取付パイプ２の上端には、パイプ部３の他端部を通したプレートからなる回動阻止部２１がネジで固定され、この回動阻止部２１には回動阻止シャフト２２とパイプアーム７の後方への倒れを阻止する倒れ防止ストッパー２３が設けられている。パイプ部５の一端部にはフランジ２４を有するアダプター２５が固定され、アダプター２５のフランジ２４の端面部２９には断面半球よりも少し浅めの半球状の凹部３０が連続して同一円周線上に多数形成されている。パイプ部３の他端部には外周に雄ネジ３１を刻設したフランジ３２を有するアダプター３３が固定され、アダプター２５のフランジ２４の端面部２９と対抗当接するアダプター３３のフランジ３２の端面部３４には断面半球より少し深めの半球状の凹部３５が同間隔で前記凹部３０の同一径円周線上に６箇所設けられ、凹部３５には金属製又は硬質樹脂製のボール３６が抜け止めされて回動自在に設置される。断面半球より少し深めの半球状の凹部３５の底部にはさらに雌ねじを刻設した貫通孔５４を形成し、前記貫通孔５４に弾性変形するスプリング５５を雄ネジを刻設したプラグ５３を介して配置し、抜け止めされ回動自在に凹部３５に配置されたボール３６をフランジ３２の端面３４から突出する方向に付勢する。外周面にローレット目２６が施され且つその一端部にアダプター３３のフランジ３２の外周の雄ネジ３１と螺合する雌ネジ２７を刻設し、他端部にアダプター２５のフランジ２４の後面と係合するフランジ部を形成したカップリングナット２８が、その雌ネジ２７を前記アダプター３３の雄ネジ３１に螺合して設置される。カップリングナット２８の回動により、アダプター２５のフランジ２４の端面部２９とアダプター３３のフランジ３２の端面部３４との間隔を調節可能とし、アダプター２５とアダプター３３とカップリングナット２８とで回動ジョイント部４を構成している。パイプ部５のカップリングナット２６の他端部と該パイプ部５上に固定した固定リング３７との間に付勢手段取付体３８が回転自在に設けられ、この付勢手段取付体３８にはシリンダー取付シャフト４１を介して密封したエアーを圧縮して反発付勢力を得るエアーシリンダー３９の一端が回動可能に連結する。エアーシリンダー３９の他端は長パイプ７の中途に設けられたシリンダー取付部４０に回動可能に取付ける。付勢手段取付体３８には回動阻止シャフト２２の通し孔４２が設けられ、この通し孔４２に回動阻止シャフト２２が通されることにより、パイプアーム８が回動しても付勢手段取付体３８は回動しないのでエアシリンダー３９がパイプアーム８の回動に伴って伸縮して反発付勢作用してパイプアーム８を常に付勢している。
【００２３】
パイプ部６とパイプ部１０との間及びパイプ部１２とパイプ部１６との間に、前記パイプ部３とパイプ部５との間の回動ジョイント部４と同じ構成の回動ジョイント部９及び回動ジョイント部１５が形成される。
【００２４】
回動ジョイント部の作動について回動ジョイント部４を例にして説明する。パイプ部を回動力が付加されると、一方のパイプ部３の接合端面３４に回動自在な配置された球状体３６が付勢手段に逆らって凹部３５内に埋没し、他方のパイプ部５の接合端面３４に形成した断面半球状の凹部３０との嵌合状態を解除し、非嵌合状態となり、回転が継続すると、球状体３６が隣合う半球状凹部３０に嵌合し、回転に伴い嵌合、非嵌合状態に連続的に交互に移行する。球状体３６が半球状凹部３０の嵌合状態から非嵌合状態に移行する場合には付勢手段の付勢力に応じた乗越抵抗が働くようしているので、その乗越抵抗によりパイプ部を所定の位置に安定して保持できる。パイプアームの回動は、パイププアームの吸込口である端方を押したり引いたりして操作するので、梃子の作用により小さな力でも乗越え抵抗を強く感じることなく片手で操作可能である。回動ジョイント部には、圧縮力付勢手段を配置するのでより安定した保持力が発揮可能である。
【００２５】
握付パイプ１１には握り４７と吸引装置の手動操作スイッチ４８が設けられ、パイプ部１２の先端には雄ネジ３２を刻設したフランジ４９を有するアダプター５０が固定されている。パイプ部１６の先端にはフランジ５１を有するアダプター５２が固定されて、カップリングナット２８が回転自在にフランジ５１により外れないように設けられている。アダプター５０とアダプター５２とカップリングナット２８とで回動ジョイン部１５を構成している。
【００２６】
凹部３０と金属ボール３６は、これら以外に滑りローラからなるものもあり、凹部もこれに対応した形態のものなどにするなど多様な形態がある。また、凹部３０と金属ボール３６を設ける接合端面部はアダプターの形態により、外側に突出したフランジを他の側に固定された挟体により挟持ジョイントして、凹部３０等はこの挟持部位に設けるなど多様な形態がある。
【００２７】
本発明では、自在アーム取付パイプ２は、嵌合時に略鉛直上方に配向させたときにおける上端の高さが、１０００ｍｍ以下となるようにその長さが調整されていることが必要になる。ここでいう、自在アーム取付パイプ２の上端とは、自在アーム取付パイプ２に取り付けられたパイプ部３を含んだ状態における上端を意味するものである。この自在アーム取付パイプ２の上端の高さは、図１に示すＡで表すことが可能となる。
【００２８】
これにより、自在パイプアーム装置１自体の高さを低く抑えることが可能となる。また、自在アーム取付パイプ２を始めとして各種パイプアームを短くすることが可能となり、特にパイプアーム７、８等の長さを２５０ｍｍ以下に抑えることによりその効果を著しく増大させることができる。その結果、従来のように長いパイプアームがかさばることが無くなり、歯科医による治療作業の障壁になるのを防止することが可能となる。
【００２９】
また自在パイプアーム装置１自体の高さを低く抑えた本発明では、歯科医の手元付近かつ患者の頭部付近に据えられたアームユニットのアーム長を短くすることができ、これを屈折などさせ、患者口腔付近の微細な粉塵等をよく吸引し、口腔外バキュームの目的を果たすのに充分な機能を有することになる。
【００３０】
また、この歯科用口腔外バキューム装置を固定型ではなく、移動可能とするために排気ダクトの下端に車輪等の移動手段を設けるようにしてもよい。
【００３１】
図９は、この基台７０の下端においてキャスター６１を設けた例を示している。この結果、この基台７０を治療室内の所望の位置へと移動させることが可能となる。またこのキャスター６１が設けられた基台７０に自在アーム６０を装着し、これを手で移動させる場合においても、従来のように長いパイプアームがかさばることが無くなり、また、自在アーム取付パイプ２を短くしている分において重量を減らすことができ、移動性能を向上させることが可能となる。特に、自在パイプアーム装置１は、常時使用するものではないことから、使用しない場合には、治療椅子から離れた箇所に移動させて保管しておけばよく、特に移動性能の優れた本発明では、かかる効果を著しく増大させることが可能となる。
【００３２】
また本発明では、吸引パイプ７３を構成している材料として、ＰＯＭ（ジュラコン）等のように滑りがよく、強度のあるエンジニアリングプラスチックを用いるようにしてもよい。その結果、吸引パイプ７３に対する自在アーム取付パイプ２の着脱を容易に行うことが可能となる。
【００３３】
また、本発明では、吸引パイプ７３から自在アーム取付パイプ２を取り外し、これとは別に義歯専用台が上端に取り付けられた図示しない自在アーム取付パイプをこの吸引パイプに嵌合させるようにしてもよい。これにより、義歯専用台等の他のユニットも同様に治療椅子に近づけて作業をしたい場合に、義歯専用台と自在パイプアーム装置１とを別体として構成する必要が無くなり、一台の基台７０を兼用させることが可能となる。
【００３４】
その結果、治療室内において様々な装置が所狭しと混在することもなくなり、省スペース化を図ることも可能となる。
【００３５】
なお、本発明では、自在アーム取付パイプ２は、嵌合時に略鉛直上方に配向させたときにおける上端の高さが、８００ｍｍ以下となるようにその長さが調整されていると、更に上述した効果が向上することになる。
【００３６】
図１０は、本発明の実施の形態２における組立斜視図である。この実施の形態２においては、実施の形態１におけるパイプ部３、回動ジョイント部４、パイプ部５、エアーシリンダー３９、シリンダー取付部４０、長パイプ７、パイプアーム８に相当する構成を省略し、自在アーム取付パイプ２の上端にパイプ部６を取り付けた構造とされている。この実施の形態２において、上述した実施の形態１と同一の構成要素、部材に関しては同一の符号を付すことにより以下での説明を省略する。ちなみに、この実施の形態２では、高さＡの要件は必須とはならない。
【００３７】
この実施の形態２では、実施の形態１でいうパイプアーム８に相当する構成が省略されている分において、自在アーム６０全体の長さが短くなる。ここで、自在アーム取付パイプ２、パイプ部６、１０、パイプアーム部１４に至るまでの部材を可動部分と定義したとき、この可動部分の長さＢが８０ｍｍ以下で構成されていることが望ましい。
【００３８】
これにより、自在パイプアーム装置１における在アーム６０全体の長さが短くなることにより、従来のように長いパイプアームがかさばることが無くなり、歯科医による治療作業の障壁になるのを防止することが可能となる。
【００３９】
また自在パイプアーム装置１自体の高さを低く抑えた本発明では、歯科医の手元付近かつ患者の頭部付近に据えられたアームユニットのアーム長を短くすることができ、これを屈折などさせ、患者口腔付近の微細な粉塵等をよく吸引し、口腔外バキュームの目的を果たすのに充分な機能を有することになる。また、アームのほか同様の接続法で、ラボ専用フードが用意される。歯科医は、患者の口腔内における切削作業を終えた後、口腔外にての義歯調整等の切削作業があれば、座位を変えずに、可動部分を短くすることにより２ｋｇに重量の軽減されたアームを簡便に引き抜き、ラボ専用フードの装着された部位を支持部に差すだけで、目的の切削作業が、床への切削片を落下を防止しつつ、円滑に行える。
【００４０】
また、実施の形態２において、更に自在アーム取付パイプ２は、嵌合時に略鉛直上方に配向させたときにおける上端の高さが、１０００ｍｍ以下となるようにその長さが調整されていてもよい。可動部分の長さＢが８０ｍｍ以下にしたことと相俟って、パイプアームがかさばるのをより一層防止することができ、より円滑な操作性能を実現することが可能となる。
【００４１】
また、可動手段としてのキャスターの間隔は、１５０ｍｍ以下としてもよい。これにより、８００ｍｍ以下の可動部分の動作を支えるのに充分なかつ小さな間隔とすることができ、より移動性能を向上させることも可能となる。
【図面の簡単な説明】
【００４２】
【図１】本発明の実施の形態１の組立て斜視図である。
【図２】本発明の実施の形態１の組立て分解斜視図である。
【図３】本発明の実施の形態１の回動ジョイント部の断面図である。
【図４】本発明の実施の形態１の根元部分の組立て斜視図である。
【図５】本発明の実施の形態１の構成部品斜視図である。
【図６】本発明の実施の形態１の構成部品斜視図である。
【図７】本発明の実施の形態１の構成部品斜視図である。
【図８】本発明の実施の形態１の構成部品斜視図である。
【図９】基台の下端においてキャスターを設けた例を示す図である。
【図１０】本発明の実施の形態２の組立て斜視図である。
【図１１】特許文献２に示す歯科用口腔外バキューム装置の構成例を示す図である。
【符号の説明】
【００４３】
１：自在パイプアーム装置
２：自在アーム取付パイプ
３：パイプ部
４：回動ジョイント部
５：パイプ部
６：パイプ部
７：長パイプ
８：パイプアーム
９：回動ジョイント部
１０：パイプ部
１１：握付パイプ
１２：パイプ部
１３：長パイプ
１４：パイプアーム
１５：回動ジョイント部
１６：パイプ部
１７：吸込口
１８：長パイプ
１９：パイプアーム
２０：ストパー体
２１：回動阻止部
２２：回動阻止シャフト
２３：倒れ防止ストッパー
２４：フランジ
２５：アダプター
２６：ローレット目
２７：雌ネジ
２８：カップリングナット
２９：接合端面部
３０：半球状凹部
３１：雄ネジ
３２：フランジ
３３：アダプター
３４：接合端面部
３５：半球状凹部
３６：金属ボール
３７：固定リング
３８：付勢手段取付体
３９：エアーシリンダー
４０シリンダー取付部：
４１：シリンダー取付シャフト
４２：通し孔
４３：フランジ
４４：アダプター
４５：フランジ
４６：アダプター
４７：握り
４８：手動操作スイッチ
４９：フランジ
５０：アダプター
５１：フランジ
５２：アダプター
５３：プラグ
５４：貫通孔
５５：スプリング
６０：自在アーム
６１：キャスター
７０：基台
７１：ストパー体
７３：吸引パイプ
【図１】
2008289650.tif 000003
【図２】
2008289650.tif 000004
【図３】
2008289650.tif 000005
【図４】
2008289650.tif 000006
【図５】
2008289650.tif 000007
【図６】
2008289650.tif 000008
【図７】
2008289650.tif 000009
【図８】
2008289650.tif 000010
【図９】
2008289650.tif 000011
【図１０】
2008289650.tif 000012
【図１１】
2008289650.tif 000013